(57)【特許請求の範囲】
【請求項１】
テーブルの下部にパビリオンが形成されるダイヤモンドであって、
テーブルを矩形状に形成し、
パビリオンは、テーブルの各辺から垂直にカットしてロウワー・ガードル・ファセットを形成し、
テーブルの各コーナー部から中心方向に向けて斜めにカットしてロウワー・メイン・ファセットを菱形に形成すると共に、該菱形の頂部と底部の角度θ1がそれぞれ６０°で両側の対向する角度θ2 がそれぞれ１２０°に形成されること
を特徴とするダイヤモンドのカット方法。
【請求項２】
ロウワー・ガードル・ファセットは二等辺三角形に形成されること
を特徴とする請求項１に記載のダイヤモンドのカット方法。
【請求項３】
矩形状に形成したテーブルと、
該テーブルの下部に形成したパビリオンとからなり、
該パビリオンは、
前記テーブルの各辺から垂直にカットして形成したロウワー・ガードル・ファセットと、
前記テーブルの各コーナー部から中心方向に向けて斜めにカットして形成したロウワー・メイン・ファセットとからなり、
該ロウワー・メイン・ファセットは、菱形に形成されると共に、該菱形の頂部と底部の角度θ1がそれぞれ６０°で両側の対向する角度θ2 がそれぞれ１２０°に形成されること
を特徴とするダイヤモンドのプロポーション。
【請求項４】
テーブルの大きさと、パビリオンの高さの比は、テーブルの一辺の長さを２とすると、パビリオンの高さを１．８にしたこと
を特徴とする請求項３に記載のダイヤモンドのプロポーション。
【請求項５】
テーブルの面と、パビリオンに形成されたロウワー・ガードル・ファセットとロウワー・メイン・ファセットとで、全体として９面カットとなること
を特徴とする請求項３または４に記載のダイヤモンドのプロポーション。
【発明の詳細な説明】
【０００１】
【発明の属する技術分野】
本発明は、テーブルの下部にパビリオンが形成されるダイヤモンドカットにおいて、そのカット方法と該カット方法によって得られたダイヤモンドのプロポーションに関するものである。
【０００２】
【従来の技術】
一般的に、この種のダイヤモンドのカット方法及びダイヤモンドのプロポーションとしては、いわゆる５８面体のラウンドブリリアンカットによるダイヤモンドが著名であり公知になっている。
【０００３】
この従来例における５８面体のラウンドブリリアンカットのダイヤモンドとしては、特開平９−１１１０５号公報に開示された構成を有している。なお、この従来例においては、５８面体のラウンドブリリアンカットそのものを発明の対象とはしていないで、ガードルのカット形状が発明の対象になっている。
【０００４】
ところで、一般的に５８面体のラウンドブリリアンカットのダイヤモンドは、クラウンの頂部に形成されるテーブルが平面から見て八角形に形成されることが絶対要件であり、その八角形の角度割は、円の中心を通る基準線を引いて円の角度３６０°を二分割して１８０°とし、その基準線に対して直角に交わる第２の基準線を引いて全体を四分割して９０°にし、更に、その９０°の角を夫々二分割するように４５°の線を引き、更にテーブルの広さを決定する円を描き、その円と各分割線との交点を隣接同士間において直線で結ぶことによりテーブルの正八角形が形成される。
【０００５】
そして、その正八角形のテーブルからガードルに至る部分にスター・ファセット、アッパー・メイン・ファセット（ベゼル・ファセット）及びアッパー・ガードル・ファセットのカットが施されて３３面カットのクラウンの部分が形成されている。
【０００６】
また、ガードルの下部に形成されたパビリオンは、前記テーブルの八角形の分割線に沿うキール・ラインで分割された各エリアに、ロウワー・ガードル・ファセットと、ロウワー・メイン・ファセットとが形成され、底部中心部にキューレットのカットが施され、２５面カットのパビリオンの部分が形成されている。
【０００７】
このような５８面体のラウンドブリリアンカットのダイヤモンドにおいて、ガードルの直径を１００％としたときに、全高を６０．４％とし、テーブルの径を５５％、クラウンの厚さを１５．４％、パビリオンの深さを４３％としている。この比率はＡ．Ｇ．Ｓ．のプロポーションの基準となっているものであり、この時のクラウンの傾斜角度が３４°で、パビリオンの傾斜角度が４１°になっている。
【０００８】
【発明が解決しようとする課題】
このように、従来例における５８面体のラウンドブリリアンカットのダイヤモンドにおいては、テーブルが正八角形に形成され、クラウン部分が３３面にカットされ、パビリオン部分が２５面にカットされていることから、乱反射的に光輝するものであって、一つの確立された視認し易い反射光が得られないばかりでなく、各面のカットが非常に複雑で時間の掛かる加工であるため、それがダイヤモンドの価格に跳ね返って高価なものにしているという問題点を有している。
【０００９】
また、この種の５８面体のダイヤモンドは、独立して個別に使用されるものであって、複数個をちりばめて使用することはあっても、複数個を隣接状態に集合させて独特な模様を形成することはできない構成である。
【００１０】
従って、従来例におけるカットの仕方を採用しないで、独特な形状の反射光が得られる簡単なカットの仕方、および複数個を集合させて一つの模様が形成できるようにすることに解決しなければならない課題を有している。
【００１１】
【課題を解決するための手段】
前記従来例の課題を解決する具体的手段として本発明は、第１に、テーブルの下部にパビリオンが形成されるダイヤモンドであって、テーブルを矩形状に形成し、パビリオンは、テーブルの各辺から垂直にカットしてロウワー・ガードル・ファセットを形成し、テーブルの各コーナー部から中心方向に向けて斜めにカットしてロウワー・メイン・ファセットを菱形に形成すると共に、該菱形の頂部と底部の角度θ1がそれぞれ６０°で両側の対向する角度θ2 がそれぞれ１２０°に形成されることを特徴とするダイヤモンドのカット方法を提供するものである。
【００１２】
そして、前記ダイヤモンドのカット方法においては、ロウワー・ガードル・ファセットは二等辺三角形に形成されることを付加的な要件として含むものである。
【００１３】
第２に、矩形状に形成したテーブルと、該テーブルの下部に形成したパビリオンとからなり、該パビリオンは、前記テーブルの各辺から垂直にカットして形成したロウワー・ガードル・ファセットと、前記テーブルの各コーナー部から中心方向に向けて斜めにカットして形成したロウワー・メイン・ファセットとからなり、該ロウワー・メイン・ファセットは、菱形に形成されると共に、該菱形の頂部と底部の角度θ1がそれぞれ６０°で両側の対向する角度θ2 がそれぞれ１２０°に形成されることを特徴とするダイヤモンドのプロポーションを提供するものである。
【００１４】
このダイヤモンドのプロポーションにおいても、テーブルの大きさと、パビリオンの高さの比は、テーブルの一辺の長さを２とすると、パビリオンの高さを１．８にしたこと；およびテーブルの面と、パビリオンに形成されたロウワー・ガードル・ファセットとロウワー・メイン・ファセットとで、全体として９面カットとなることを付加的な要件として含むものである。
【００１６】
本発明に係るダイヤモンドのカット方法及びそれによって得られるプロポーションにおいては、９面のカットであってカット面が極めて少なくカット作業が容易であり、また、独特なパビリオンが形成されていることで、テーブル面に現れる反射光が従来全く見られなかったスッキリとした独特な模様になるのである。
【００１７】
【発明の実施の形態】
次に本発明を図示の実施の形態により更に詳しく説明する。図１〜７に示したダイヤモンドのプロポーション１は、矩形状のテーブル２と該テーブル２の下部に形成されたパビリオン３とから構成されるものであり、従来例のようなクラウン部分が形成されない点にプロポーションとしての特徴がある。
【００１８】
矩形状を呈するテーブル２は、好ましくは正方形に形成されるものであるが長方形に形成しても良いのである。
【００１９】
パビリオン３は、前記テーブル２の各辺からそれぞれ垂直にカットされたロウワー・ガードル・ファセット４と、前記テーブル２の各コーナー部分から中心線に向かってそれぞれ斜め下方にカットしたロウワー・メイン・ファセット（パビリオン・ファセット）５とから構成されている。このことからして、パビリオン３は、実質的に８面カットで形成される。
【００２０】
従って、本発明におけるダイヤモンドのプロポーション１は、テーブル２とパビリオン３の８面カットによって全体が矩形で、シンプルな９面カットとなるのであり、しかも、一つの原石（正八面体）を真ん中から二つに切って形成できるので、同じ大きさのダイヤモンドプロポーションが二個採れるのであり、カット作業も容易であることから、経済的に安価に製造できるのである。
【００２１】
例えば、ダイヤモンドのプロポーション１における一例の寸法および角度等について説明すると、図３に示したように、テーブル２の一辺の寸法を例えば２０ｍｍに設定すると、全体の高さは、図４に示したように、１８ｍｍに設計し、ロウワー・ガードル・ファセット４を垂直にカットし、ロウワー・メイン・ファセット５をテーブル２の各コーナー部分から中心線に向かってそれぞれ斜め下方にカットすると、ロウワー・ガードル・ファセット４の高さはその中間位置までの９ｍｍになって、そのロウワー・ガードル・ファセット４は二等辺三角形状に形成される。
【００２２】
また、ダイヤモンドのプロポーション１を底面から垂直に見ると、図５に示したように、パビリオン３を構成する４個のロウワー・メイン・ファセット５のみが全体として田の字状に見える構成になっている。
【００２３】
そして、ロウワー・メイン・ファセット５は、全体として菱形に形成されるものであり、図６に示したように、その菱形の頂部と底部の角度θ1 がそれぞれ６０°で両側の対向する角度θ2 が１２０°に形成される。
【００２４】
更に、図７に示した断面図について見ると、テーブル２とロウワー・メイン・ファセット５とのなす角度θ3 は５１．８４°で、底部で交わる角度θ4 は７６．３２°になっている。
【００２５】
このような具体的構成を有する本発明のダイヤモンドのプロポーション１においては、上面から見たときに、図３に示すように、十字状の特徴的な反射光１０が明確に視認できるものである。
【００２６】
また、ダイヤモンドのプロポーション１を複数個用いて集合体とすることにより、趣の異なるダイヤモンド集合体が形成できるのである。即ち、図８に示したように、例えば、３個のプロポーション１を用いテーブル２を内側にして、各２辺が相互に接触するように集合体を形成することができる。
【００２７】
このように集合体を形成すると、内側に向いているテーブル２の面にそれぞれ菱状反射光１１が視認でき、全体として三菱マーク形状の独特な反射光となるのである。
【００２８】
更に、５個のダイヤモンドのプロポーション１を用い、図９に示したように、テーブル２の面を内側にし、且つテーブル２の面の対向する各コーナー部が隣接同士で接触するようにして集合体を形成すると、その集合体は全体として五芒星を構成するものとなるのである。
【００２９】
また、６個のダイヤモンドのプロポーション１を用いて、図１０に示したように、テーブル２の面を外側にし、且つパビリオン３の対向する各ロウワー・メイン・ファセット５が隣接同士で接触するようにして集合体を形成すると、その集合体は全体として六芒星を構成するものとなるのである。
【００３０】
そして、これらいずれの集合体においても、プロポーション１が放射状に隣接状態で集合するものであり、また、プロポーション１の裏面側に位置する各ロウワー・メイン・ファセット５の面が同一平面上に位置して無理なく安定した状態の集合体を形成できるのである。
【００３１】
いづれにしても、本発明に係るカット方法は、従来思いつかなかった程に著しくシンプルなものであって、しかも、複数個が種々の形状の集合体に形成できるというダイヤモンドとしての全体のプロポーションが特徴的なものとなっているのである。なお、以上はダイヤモンドについての説明であるが、ダイヤモンドに限らず、水晶または半貴石についても適用できることは当然のことである。
【００３２】
【発明の効果】
以上説明したように、本発明に係るダイヤモンドのカット方法は、テーブルの下部にパビリオンが形成されるダイヤモンドであって、テーブルを矩形状に形成し、パビリオンは、テーブルの各辺から垂直にカットしてロウワー・ガードル・ファセットを形成し、テーブルの各コーナー部から中心方向に向けて斜めにカットしてロウワー・メイン・ファセットを菱形に形成すると共に、該菱形の頂部と底部の角度θ1がそれぞれ６０°で両側の対向する角度θ2 がそれぞれ１２０°に形成されることによって、カット面が少なくて作業性が良く、しかも、原石を真ん中から二つに切って同じ大きさのものを二個形成できるので、経済的に著しく優れるという効果を奏する。
【００３３】
また、本発明に係るダイヤモンドのプロポーションは、矩形状に形成したテーブルと、該テーブルの下部に形成したパビリオンとからなり、該パビリオンは、前記テーブルの各辺から垂直にカットして形成したロウワー・ガードル・ファセットと、前記テーブルの各コーナー部から中心方向に向けて斜めにカットして形成したロウワー・メイン・ファセットとからなり、該ロウワー・メイン・ファセットは、菱形に形成されると共に、該菱形の頂部と底部の角度θ1がそれぞれ６０°で両側の対向する角度θ2 がそれぞれ１２０°に形成されることによって、全体としてシンプルでありながら、反射光は独特な形状模様を表出させるばかりでなく、複数個を用いて独特な形状の集合体に形成できるという優れた効果を奏する。
【図面の簡単な説明】
【図１】本発明に係るダイヤモンドを上面側から見た斜視図である。
【図２】同ダイヤモンドの下面側から見た斜視図である。
【図３】同ダイヤモンドを真上から見た平面図である。
【図４】図３の矢印Ａの方向から見た側面図である。
【図５】同ダイヤモンドの底面図である。
【図６】図３の矢印Ｂの方向から見た側面図である。
【図７】図３のＣ−Ｃ線に沿う断面図である。
【図８】本発明に係るダイヤモンドプロポーションを３個使用した集合体の上面図である。
【図９】同ダイヤモンドプロポーションを５個使用した集合体の上面図である。
【図１０】同ダイヤモンドプロポーションを６個使用した集合体の上面図である。
【符号の説明】
１……ダイヤモンドのプロポーション、  ２……テーブル、
３……パビリオン、  ４……ロウワー・ガードル・ファセット、
５……ロウワー・メイン・ファセット、
１０……十字状の反射光、  １１……菱状の反射光。
【図１】
0003863374.tif 000002
【図２】
0003863374.tif 000003
【図３】
0003863374.tif 000004
【図４】
0003863374.tif 000005
【図５】
0003863374.tif 000006
【図６】
0003863374.tif 000007
【図７】
0003863374.tif 000008
【図８】
0003863374.tif 000009
【図９】
0003863374.tif 000010
【図１０】
0003863374.tif 000011